【手続補正書】
【提出日】平成23年1月31日(2011.1.31)
【手続補正１】
【補正対象書類名】明細書
【補正対象項目名】００２５
【補正方法】変更
【補正の内容】
【００２５】
【図１】先行技術の自己凝集ウェブ材料の走査型電子顕微鏡写真（ＳＥＭ）である。
【図１Ａ】先行技術の自己凝集ウェブ材料の走査型電子顕微鏡写真（ＳＥＭ）である。
【図２】単一方向に伸長した、本発明の実施態様の５０倍の走査型電子顕微鏡写真（ＳＥＭ）である。
【図２Ａ】５０−５０ＰＧＡ：ＴＭＣから作製し単一方向に伸長した、本発明の実施態様の１００倍の走査型電子顕微鏡写真（ＳＥＭ）である。
【図３】互いにほぼ直交した２方向で伸長した、本発明の実施態様の走査型電子顕微鏡写真（ＳＥＭ）である。
【図４】本明細書でフリースと呼ぶ形状を有する、本発明の実施態様の走査型電子顕微鏡写真（ＳＥＭ）である。
【図４Ａ】材料の中心から外に向かって全方向で伸長した、本発明の実施態様の走査型電子顕微鏡写真（ＳＥＭ）である。
【図５】本発明で使用する前駆ウェブ材料を製造するのに適した装置の概略図である。
【図６】本発明の完成したウェブ材料において、様々な伸長比がフィラメント径に与える影響を示すグラフである。
【図７】所与の伸長比について、直径が２０μｍ未満のフィラメントの百分率を示すグラフである。
【図８】本発明の完成したウェブ材料における、複屈折率とフィラメント径の関係を示すグラフである。
【図９】ウェブ材料の表面上及び空隙中に配置された少なくとも１つの追加材料を有する、本発明のウェブ材料の図である。
【図９Ａ】ウェブ材料の表面上及び空隙中に配置された少なくとも２つの追加材料を有する、本発明のウェブ材料の図である。
【図１０】綿撒糸材料に取り付けられた本発明のウェブ材料の図である。
【図１０Ａ】綿撒糸材料に取り付けられてステープル装置に配置された、本発明のウェブ材料の図である。
【図１０Ｂ】綿撒糸材料に取り付けられてステープル装置に配置された、本発明のウェブ材料の図である。
【図１１】吻合ラップの形状の、本発明のウェブ材料の図である。
【図１２】開口部を有する第２の材料の間に配置された本発明のウェブ材料の図であり、その開口部を通してウェブ材料が露出している。
【図１３】チューブ形状を有する本発明のウェブ材料の図である。
【図１４】円筒形状を有する本発明のウェブ材料の図である。
【図１５】本発明のウェブ材料及び生体非吸収性材料の図である。
【図１６】少なくとも１つの構造要素が内部に含まれている、チューブ形状の本発明のウェブ材料の図である。
【図１７】半径方向及び長手方向に寸法を変化させることが可能な、チューブ形状の本発明のウェブ材料の図である。
【図１８】血液凝固時間検定の全体図である。
【図１９】非常に高い気孔率を有する本発明のウェブ材料の写真である。
【図１９Ａ】非常に高い気孔率を有しており、金属バンドが取り付けられている、本発明のウェブ材料の写真である。
【図１９Ｂ】非常に高い気孔率を有しており、複数の金属バンドが取り付けられている、本発明のウェブ材料の写真である。
【図２０】送達器具の内側に配置された図１９のウェブ材料の図である。
【図２１】生体非吸収性材料の上に重ねられた、伸長した自己凝集ウェブ材料を有する複合材料の図である。
【図２１Ａ】生体非吸収性材料の上に重ねられており、生理活性種を放出可能に含有する、伸長した自己凝集ウェブ材料を有する複合材料の図である。
【図２２】本発明の実施態様の説明図である。
【手続補正２】
【補正対象書類名】特許請求の範囲
【補正対象項目名】全文
【補正方法】変更
【補正の内容】
【特許請求の範囲】
【請求項１】
ポリグリコール酸及びトリメチレンカーボネートのブロックコポリマーを含む生体吸収性自己凝集不織ウェブ材料と、基質の少なくとも一部の上にある生細胞集団とを含む、生細胞用基質であって、前記ウェブ材料の気孔率（パーセント）が追加成分の不存在下で９０より大きい、生細胞用基質。
【請求項２】
前記基質及び生細胞が移植可能である、請求項１に記載の基質。
【請求項３】
前記基質の少なくとも一部の上にある生細胞をさらに含む、請求項２に記載の基質。
【請求項４】
前記ウェブ材料がフィラメントを含み、前記基質が前記フィラメントの少なくとも１つに配置されたハイドロゲル材料をさらに含む、請求項１に記載の基質。
【請求項５】
前記ハイドロゲル材料の少なくとも一部が化学的に架橋している、請求項４に記載の基質。
【請求項６】
前記ハイドロゲル材料と組み合わせた生理活性種をさらに含む、請求項４に記載の基質。
【請求項７】
架橋した前記ハイドロゲル材料と組み合わせた生理活性種をさらに含む、請求項５に記載の基質。
【請求項８】
フルオロポリマー成分をさらに含む、請求項１に記載の基質。
【請求項９】
実質的に平坦なシート形状である、請求項１に記載の基質。
【請求項１０】
中空チューブ形状を有する、請求項１に記載の基質。
【請求項１１】
編組の形状である、請求項１に記載の基質。
【請求項１２】
前記編組の形状がロープ状である、請求項１１に記載の基質。
【請求項１３】
ロッドの形状である、請求項１に記載の基質。
【請求項１４】
細胞凝集体を形成する方法であって、
ポリグリコリド及びトリメチレンカーボネートのブロックコポリマーを含む生体吸収性自己凝集不織ウェブ材料の形状の基質を提供すること、ここで、前記ウェブ材料の気孔率（パーセント）が追加成分の不存在下で９０より大きい；並びに
生細胞の成長に有利な条件下で、前記基質の少なくとも一部の上に前記生細胞を配置すること、を含む方法。
【請求項１５】
前記細胞が、外科手技と同時に前記基質の上に配置される、請求項１４に記載の方法。
【請求項１６】
前記基質が、その上に生細胞を配置する前に移植される、請求項１５に記載の方法。
【請求項１７】
前記生細胞が、前記基質の移植後に前記基質の上に配置される、請求項１５に記載の方法。
【手続補正３】
【補正対象書類名】図面
【補正対象項目名】全図
【補正方法】変更
【補正の内容】
【図５】
2010516395.tif 000001
【図６】
2010516395.tif 000002
【図７】
2010516395.tif 000003
【図８】
2010516395.tif 000004
【図９】
2010516395.tif 000005
【図９Ａ】
2010516395.tif 000006
【図１０】
2010516395.tif 000007
【図１０Ａ】
2010516395.tif 000008
【図１０Ｂ】
2010516395.tif 000009
【図１１】
2010516395.tif 000010
【図１２】
2010516395.tif 000011
【図１３】
2010516395.tif 000012
【図１４】
2010516395.tif 000013
【図１５】
2010516395.tif 000014
【図１６】
2010516395.tif 000015
【図１７】
2010516395.tif 000016
【図１８】
2010516395.tif 000017
【図２０】
2010516395.tif 000018
【図２１】
2010516395.tif 000019
【図２１Ａ】
2010516395.tif 000020
【図２２】
2010516395.tif 000021
【図１】
2010516395.tif 000022
【図１Ａ】
2010516395.tif 000023
【図２】
2010516395.tif 000024
【図２Ａ】
2010516395.tif 000025
【図３】
2010516395.tif 000026
【図４】
2010516395.tif 000027
【図４Ａ】
2010516395.tif 000028
【図１９】
2010516395.tif 000029
【図１９Ａ】
2010516395.tif 000030
【図１９Ｂ】
2010516395.tif 000031